(57)【要約】      （修正有）【課題】携帯性に優れ、香等を比較的容易に収容することができると共に、その収容物を用いて容易に焼香を実施可能である、焼香箱を提供する。【解決手段】焼香箱１は、銅箱部４０が載置される箱本体部３０と、箱本体部３０の上方位置に被せる蓋部１０と、箱本体部３０と蓋部１０との間に載置される中箱部２０とを備え、箱本体部３０には第一収納部Ａ１と第二収納部Ａ２とが設けられ、第一収納部Ａ１には銅箱部４０が載置され、第二収納部Ａ２は香収納部として機能すべく構成されており、中箱部２０を成す中箱底板部２１の箱本体部３０側には銅板部２９が設けられ、箱本体部３０上に中箱部２０を載置した際には、銅箱部４０の開口部が銅板部２９にて密閉されるべく構成されており、箱本体部３０と蓋部１０との間に載置された中箱部２０は、箱本体部３０と蓋部１０とに挟まれて上下左右の動きが制限されるべく構成されている。【選択図】図１
0003200504.tif 000002
【実用新案登録請求の範囲】
【請求項１】
香炉として機能する金属箱部が載置される箱本体部と、前記箱本体部の上方位置に被せる蓋部と、前記箱本体部と前記蓋部との間に載置される中箱部とを備え、
前記箱本体部には第一収納部と第二収納部とが設けられ、前記第一収納部は前記金属箱部が載置されるべく構成され、前記第二収納部は香を収納する香収納部として機能すべく構成されており、
前記中箱部を成す中箱底板部の前記箱本体部側には金属板部が設けられ、前記箱本体部上に前記中箱部を載置した際には、前記金属箱部の開口部が前記金属板部にて密閉されるべく構成されており、
前記箱本体部と前記蓋部との間に載置された前記中箱部は、前記箱本体部と前記蓋部とに挟まれて上下左右の動きが制限されるべく構成されている
ことを特徴とする焼香箱。
【請求項２】
香炉として機能する金属箱部が載置される箱本体部と、前記箱本体部の上方位置に被せる蓋部と、前記箱本体部と前記蓋部との間に載置される中箱部とを備え、
前記箱本体部には第一収納部と第二収納部とが設けられ、前記第一収納部は前記金属箱部が載置されるべく構成され、前記第二収納部は香を収納する香収納部として機能すべく構成されており、
前記中箱部を成す中箱底板部の前記箱本体部側には金属板部が設けられ、前記箱本体部上に前記中箱部を載置した際には、前記金属箱部の開口部が前記金属板部にて密閉されるべく構成されており、
前記箱本体部に載置された前記金属箱部の金属箱底板部と、前記箱本体部の箱底板部との間には、間隙部が設けられており、
前記箱本体部と前記中箱部と前記蓋部とを積層して組み合わせた状態にて、前記金属箱部は前記箱本体部と前記中箱部とに挟まれて上下左右の動きが制限され、前記中箱部は前記箱本体部と前記蓋部とに挟まれて上下左右の動きが制限されるべく構成されている
ことを特徴とする焼香箱。
【考案の詳細な説明】
【技術分野】
【０００１】
本考案は、焼香を行う際に必要となる香や香炭や香炉灰等を収容する焼香箱に関するもので、より具体的には、携帯性に優れ、香等を比較的容易に収容することができると共に、その収容物等を用いて容易に焼香を実施可能である、焼香箱に関するものである。
【背景技術】
【０００２】
通常、墓や仏壇の前には、焼香を行うための香炉や香入れ等が設けられている。この香炉には、香炉灰が入れられており、香炉灰の上には火入れされた香炭が置かれている。そして、焼香は、香炉の近くに配置された香入れから香（抹香）を摘み上げ、香炉中の香炭の上に、その香を指をこすりながらパラパラと落とすことによって行われる。
【０００３】
また、この香炉等の近傍には、必要に応じて、予備の香や香炭、香炭を扱うためのピンセット、および香炭に火入れするためのマッチやライタ等も準備されている。
【０００４】
ところで、香炉については、種々の技術が知られており、例えば、特許文献１には墓参用香炉が開示されている。この墓参用香炉は、雨天時や強風時の使用を考慮して構成されている。
【先行技術文献】
【特許文献】
【０００５】
【特許文献１】実開平６−８２３２４号公報
【考案の概要】
【考案が解決しようとする課題】
【０００６】
焼香およびその周辺に関連する技術としては、例えば、上述したような香炉に関する技術等が知られている。
【０００７】
しかしながら、従来技術にかかる香炉等に関する技術としては、特許文献１に示すような雨天時や強風時の使用を考慮したものや、墓前に設置して固定されるもの等はあるが、携帯性等を考慮しつつ実用性の高いもの（焼香関連技術）は知られていないという問題があった。
【０００８】
そこで、本考案は、上記従来技術にかかる問題を解決するためになされたものであり、比較的簡単な構成に基づき、携帯性に優れ、香等を比較的容易に収容することができると共に、その収容物等を用いて容易に焼香を実施可能である、焼香箱を提供することを課題とする。
【課題を解決するための手段】
【０００９】
本考案の第一態様にかかる焼香箱は、上記課題を解決するためになされたものであり、香炉として機能する金属箱部が載置される箱本体部と、前記箱本体部の上方位置に被せる蓋部と、前記箱本体部と前記蓋部との間に載置される中箱部とを備え、前記箱本体部には第一収納部と第二収納部とが設けられ、前記第一収納部は前記金属箱部が載置されるべく構成され、前記第二収納部は香を収納する香収納部として機能すべく構成されており、前記中箱部を成す中箱底板部の前記箱本体部側には金属板部が設けられ、前記箱本体部上に前記中箱部を載置した際には、前記金属箱部の開口部が前記金属板部にて密閉されるべく構成されており、前記箱本体部と前記蓋部との間に載置された前記中箱部は、前記箱本体部と前記蓋部とに挟まれて上下左右の動きが制限されるべく構成されていることを特徴としている。
【００１０】
このように構成された前記焼香箱によれば、比較的簡単な構成に基づき、携帯性に優れ、前記香等を比較的容易に収容することができると共に、その収容物等を用いて容易に焼香を実施することができる。
より具体的には、本考案にかかる前記焼香箱は、焼香に必要な道具等が全て収納可能であるべく構成されているため、その収容物等を用いることによって、容易に焼香を実施することができる。また、本考案によれば、前記箱本体部上に前記中箱部を載置した際には、前記金属箱部の開口部が前記金属板部にて密閉されるべく構成されているため、香炉として機能する前記金属箱部に香炉灰が入れられていても、前記金属箱部からの香炉灰の漏出を効果的に防止することができる。つまり、このような構成によれば、前記焼香箱を動かしても、前記金属箱部から香炉灰が漏出しづらいため、携帯性に優れた前記焼香箱を得ることができる。さらに、本考案によれば、前記箱本体部と前記蓋部との間に載置された前記中箱部は、前記箱本体部と前記蓋部とに挟まれて上下左右の動きが制限されるべく構成される。このような構成によれば、上下左右の動きが制限される前記中箱部によって、前記箱本体部に収納された物品は適切な位置に保持される。加えて、このような構成によれば、前記焼香箱を動かしても前記中箱部、前記箱本体部、およびそれぞれの箱部に収納された収納物の動きが制限されるため、携帯性に優れた前記焼香箱を得ることができる。
【００１１】
本考案の第二態様にかかる焼香箱は、上記課題を解決するためになされたものであり、香炉として機能する金属箱部が載置される箱本体部と、前記箱本体部の上方位置に被せる蓋部と、前記箱本体部と前記蓋部との間に載置される中箱部とを備え、前記箱本体部には第一収納部と第二収納部とが設けられ、前記第一収納部は前記金属箱部が載置されるべく構成され、前記第二収納部は香を収納する香収納部として機能すべく構成されており、前記中箱部を成す中箱底板部の前記箱本体部側には金属板部が設けられ、前記箱本体部上に前記中箱部を載置した際には、前記金属箱部の開口部が前記金属板部にて密閉されるべく構成されており、前記箱本体部に載置された前記金属箱部の金属箱底板部と、前記箱本体部の箱底板部との間には、間隙部が設けられており、前記箱本体部と前記中箱部と前記蓋部とを積層して組み合わせた状態にて、前記金属箱部は前記箱本体部と前記中箱部とに挟まれて上下左右の動きが制限され、前記中箱部は前記箱本体部と前記蓋部とに挟まれて上下左右の動きが制限されるべく構成されていることを特徴としている。
【００１２】
このように構成された前記焼香箱によれば、比較的簡単な構成に基づき、携帯性に優れ、前記香等を比較的容易に収容することができると共に、その収容物等を用いて容易に焼香を実施することができる。
より具体的には、本考案にかかる前記焼香箱は、焼香に必要な道具等が全て収納可能であるべく構成されているため、その収容物等を用いることによって、容易に焼香を実施することができる。
また、本考案によれば、前記箱本体部上に前記中箱部を載置した際には、前記金属箱部の開口部が前記金属板部にて密閉され、前記金属箱部は、前記箱本体部と前記中箱部とに挟まれて上下左右の動きが制限される。つまり、このような構成によれば、前記焼香箱を動かしても、前記金属箱部の動きは制限されると共に、前記金属箱部の開口部は前記金属板部にて密閉されているため、前記金属箱部から香炉灰が漏出しづらい。したがって、このような構成によれば、携帯性に優れた前記焼香箱を得ることができる。さらに、本考案によれば、前記箱本体部と前記蓋部との間に載置された前記中箱部は、前記箱本体部と前記蓋部とに挟まれて上下左右の動きが制限されるべく構成される。このような構成によれば、上下左右の動きが制限される前記中箱部によって、前記箱本体部に収納された物品は適切な位置に保持される。加えて、このような構成によれば、前記焼香箱を動かしても前記中箱部、前記箱本体部、およびそれぞれの箱部に収納された収納物の動きが制限されるため、携帯性に優れた前記焼香箱を得ることができる。
【考案の効果】
【００１３】
本考案によれば、比較的簡単な構成に基づき、携帯性に優れ、香等を比較的容易に収容することができると共に、その収容物等を用いて容易に焼香を実施可能である、焼香箱を得ることができる。
【図面の簡単な説明】
【００１４】
【図１】本考案の実施形態にかかる焼香箱の概略斜視図を示したものであり、図１（ａ）は組み立てた状態の本実施形態にかかる焼香箱の概略斜視図を示し、図１（ｂ）は分解した状態の本実施形態にかかる焼香箱の概略斜視図を示している。
【図２】図１（ａ）に示された本実施形態にかかる焼香箱のII−II線矢視断面図を示したものである。
【図３】図１（ｂ）に示された本実施形態にかかる焼香箱のIII−III線矢視断面図を示したものである。
【図４】本実施形態にかかる焼香箱を成す中箱部およびその収容物の概略斜視図を示したものである。
【図５】本実施形態にかかる焼香箱を成す箱本体部およびその収容物の概略斜視図を示したものである。
【図６】香炉灰等の収容物を収容した状態における図１（ａ）に示された本実施形態にかかる焼香箱のII−II線矢視断面図を示したものである。
【図７】本実施形態にかかる焼香箱を用いて焼香を行っている状態の概略斜視図を示したものである。
【考案を実施するための形態】
【００１５】
以下、図面に基づいて、本考案の実施形態を説明する。
【００１６】
図１は、本考案の実施形態にかかる焼香箱の概略斜視図を示したものであり、図１（ａ）は組み立てた状態の本実施形態にかかる焼香箱の概略斜視図を示し、図１（ｂ）は分解した状態の本実施形態にかかる焼香箱の概略斜視図を示している。図２は、図１（ａ）に示された本実施形態にかかる焼香箱のII−II線矢視断面図を示したものである。図３は、図１（ｂ）に示された本実施形態にかかる焼香箱のIII−III線矢視断面図を示したものである。図４は、本実施形態にかかる焼香箱を成す中箱部およびその収容物の概略斜視図を示したものである。図５は、本実施形態にかかる焼香箱を成す箱本体部およびその収容物の概略斜視図を示したものである。図６は、香炉灰等の収容物を収容した状態における図１（ａ）に示された本実施形態にかかる焼香箱のII−II線矢視断面図を示したものである。図７は、本実施形態にかかる焼香箱を用いて焼香を行っている状態の概略斜視図を示したものである。
【００１７】
本実施形態にかかる焼香箱１は、図１に示すように、蓋部１０、中箱部２０、箱本体部３０、および銅箱部４０（本考案の「金属箱部」に相当）を用いて構成されている。また、本実施形態においては、各構成要素１０，２０，３０，４０が、図１（ｂ）に示すように、それぞれ分解可能に構成されており、これらを順次積層させることによって、図１（ａ）に示すような焼香箱１が構成される。
【００１８】
図１〜図３等に示すように、本実施形態にかかる焼香箱１を成す蓋部１０は、天板部１１、一対の蓋長手側板部１２，１２、および一対の蓋短手側板部１３，１３を用いて構成されている。この蓋部１０は、全ての構成要素を一体的に構成しても、あるいは各構成要素を接合部材や接着剤等を用いて固着して構成してもよい。
【００１９】
また、この蓋部１０は、例えば、檜、杉、桐等の木材を用いて構成されることが好ましく、桐を用いて構成されることがより好ましい。これは、日常において多種類の桐箱が存在するように、上品な木箱として馴染みやすく、また桐であれば、軽量且つ加工しやすいため、木箱として最適だからである。
【００２０】
本実施形態にかかる焼香箱１を成す中箱部２０は、図１および図４等に示すように、中箱底板部２１、一対の中箱長手側板部２２，２２、一対の中箱短手側板部２３，２３、中箱長手仕切板部２４、および銅板部２９（本考案の「金属板部」に相当）を用いて構成されている。ここで、中箱部２０を成す中箱長手仕切板部２４は、中箱長手側板部２２と略平行であって、且つその端部がそれぞれの中箱短手側板部２３に接するべく設けられている。この中箱部２０は、全ての構成要素を一体的に構成しても、あるいは各構成要素を接合部材や接着剤等を用いて固着して構成してもよい。
【００２１】
また、この中箱部２０は、蓋部１０と同様に、例えば、檜、杉、桐等の木材を用いて構成されることが好ましく、桐を用いて構成されることがより好ましい。これは、上述した蓋部１０と同様に、上品な木箱として馴染みやすく、軽量且つ加工しやすいため、木箱として最適だからである。
【００２２】
さらに、この中箱部２０を成す銅板部２９は、中箱底板部２１の外側全面を覆うべく設けられている。より具体的には、箱本体部３０にこの中箱部２０を積層した際に、箱本体部３０側に位置する中箱底板部２１の全面（中箱底板部２１の外側全面）を覆うべく、一枚の銅板部２９が貼り付けて設けられている。
【００２３】
また、この中箱部２０の内部は、図１および図４等に示すように、上述した箇所に設けられた中箱長手仕切板部２４によって、二つの収納部（第三収納部Ａ３、第四収容部Ａ４）を有すべく構成される。本実施形態にかかる焼香箱１においては、例えば、第三収納部Ａ３にライタＸａが収納され、第四収納部Ａ４に香炭ＸｂおよびピンセットＸｃが収納される。
【００２４】
本実施形態にかかる焼香箱１を成す箱本体部３０は、図１および図５等に示すように、箱底板部３１、一対の箱長手外板部３２，３２、一対の箱短手外板部３３，３３、一対の箱長手中間板部３４，３４、一対の箱短手中間板部３５，３５、一対の箱長手内板部３６，３６、一対の箱短手内板部３７，３７、および箱短手仕切板部３８を用いて構成されている。ここで、箱本体部３０を成す箱短手仕切板部３８は、箱短手内板部３７と略平行であって、且つその端部がそれぞれの箱長手内板部３６に接するべく設けられている。この箱本体部３０は、基本的には各構成要素を接合部材や接着剤等を用いて固着して構成されるが、必要に応じて、全ての構成要素を一体的に構成してもよい。
【００２５】
箱本体部３０の具体的な構成としては、例えば、箱底板部３１の各辺に一対の箱長手外板部３２，３２と一対の箱短手外板部３３，３３が固着され、各箱長手外板部３２の内側表面に接すべく箱長手中間板部３４が固着され、各箱短手外板部３３の内側表面に接すべく箱短手中間板部３５が固着され、各箱長手中間板部３４の内側表面に接すべく箱長手内板部３６が固着され、各箱短手中間板部３５の内側表面に接すべく箱短手内板部３７が固着され、さらに、上述した箇所に箱短手仕切板部３８が固着される。
【００２６】
また、この箱本体部３０は、蓋部１０および中箱部２０と同様に、例えば、檜、杉、桐等の木材を用いて構成されることが好ましく、桐を用いて構成されることがより好ましい。これは、上述した蓋部１０と同様に、上品な木箱として馴染みやすく、軽量且つ加工しやすいため、木箱として最適だからである。
【００２７】
さらに、この箱本体部３０の内部は、図１および図３等に示すように、上述した箇所に設けられた箱短手仕切板部３８によって、二つの収納部（第一収納部Ａ１、第二収容部Ａ２）を有すべく構成される。本実施形態にかかる焼香箱１においては、図５等に示すように、第一収納部Ａ１に銅箱部４０が載置され、第二収納部Ａ２に香Ｚｂが収納される。この銅箱部４０内には香炉灰Ｚａが収納される。
【００２８】
本実施形態にかかる焼香箱１を成す銅箱部４０は、図１および図３等に示すように、銅箱底板部４１、一対の銅箱長手側板部４２，４２、一対の銅箱短手側板部４３，４３、および銅箱鍔部４９を用いて構成されている。この銅箱部４０は、全ての構成要素を一体的に構成しても、あるいは各構成要素を溶接や接着剤等を用いて固着して構成してもよい。つまり、この銅箱部４０は、絞り加工等にて一体的に構成しても、あるいはそれぞれの形状に切り出された各構成要素を溶接にて固着して構成してもよい。
【００２９】
このように構成された銅箱部４０は、上述したように、箱本体部３０の第一収納部Ａ１に載置され、香炉として機能する。本実施形態においては、第一収納部Ａ１を成す一対の箱長手内板部３６，３６、箱短手内板部３７、および箱短手仕切板部３８の上端部に、銅箱部４０を成す銅箱鍔部４９を係止することによって、銅箱部４０と箱底板部３１との間に所定の隙間（間隙部Ｔ１：図２参照）を有する状態で、銅箱部４０を第一収納部Ａ１に載置している。つまり、この銅箱部４０を第一収納部Ａ１に載置する場合には、図２に示すように、銅箱部４０の銅箱底板部４１（の外側表面）と第一収納部Ａ１の底面部（の内側表面）との間に間隙部Ｔ１が設けられるべく、銅箱部４０および第一収納部Ａ１が構成される。このような間隙部Ｔ１を有することにより、本実施形態にかかる焼香箱１は、外部に対しての断熱性能を高めることができる。
【００３０】
本実施形態にかかる焼香箱１は、上述したように、蓋部１０、中箱部２０、箱本体部３０、および銅箱部４０を用いて構成されている。具体的には、箱本体部３０の第一収納部Ａ１に銅箱部４０を載置し、その上に中箱部２０を積層し、さらにその上から蓋部１０を被せることによって、図１（ａ）に示すような本実施形態にかかる焼香箱１が構成される。
【００３１】
このように構成された焼香箱１においては、図５および図６に示すように、箱本体部３０の第一収納部Ａ１に載置された銅箱部３０に香炉灰Ｚａが設けられ、箱本体部３０の第二収納部Ａ２に香Ｚｂが収納される。また、図４および図６に示すように、中箱部２０の第三収納部Ａ３にライタＸａが設けられ、中箱部２０の第四収納部Ａ４に香炭ＸｂおよびピンセットＸｃが設けられている。
【００３２】
本実施形態にかかる焼香箱１は、香炉灰Ｚａ等を収納しない状態が図２の状態であり、香炉灰Ｚａ等を収納した状態が図６の状態である。つまり、本実施形態によれば、図６に示すように、焼香に必要な種々の物品をコンパクトに一つの箱（焼香箱１）に収納することができる。したがって、実際に焼香箱１を使用する場合には、図６の状態で携帯し、焼香箱１を容易にどこにでも（どのような使用場所へも）持っていくことができる。よって、本実施形態にかかる焼香箱１によれば、どのような場所でも焼香を行うことができる。
【００３３】
また、実際に焼香を行う場合には、焼香箱１（図６等参照）を使用箇所のテーブルの上に載置した後、焼香箱１から蓋部１０が外される。次いで、蓋部１０が外された焼香箱１から中箱部２０が取り出される。次いで、中箱部２０に収納されたピンセットＸｃを用いて、香炭Ｘｂが香炉灰Ｚａ上に載置される。この香炭Ｘｂには、ライタＸａや蝋燭の火等を用いて、事前に火が点けられている。図７は、このようにして準備された焼香箱１（を成す箱本体部３０）を用いて、実際に焼香を行っている状態の概略斜視図を示している。
【００３４】
さて、本実施形態にかかる焼香箱１は、以上のように構成され使用されるため、次のような作用効果を得ることができる。
【００３５】
本実施形態にかかる焼香箱１は、香炉として機能する銅箱部４０が載置される箱本体部３０と、箱本体部３０の上方位置に被せる蓋部１０と、箱本体部３０と蓋部１０との間に載置される中箱部２０とを備え、箱本体部３０には第一収納部Ａ１と第二収納部Ａ２とが設けられ、第一収納部Ａ１は銅箱部４０が載置されるべく構成され、第二収納部Ａ２は香Ｚｂを収納する香収納部として機能すべく構成されており、中箱部２０を成す中箱底板部２１の箱本体部３０側には銅板部２９が設けられ、箱本体部３０上に中箱部２０を載置した際には、銅箱部４０の開口部が銅板部２９にて密閉されるべく構成されており、箱本体部３０と蓋部１０との間に載置された中箱部２０は、箱本体部３０と蓋部１０とに挟まれて上下左右の動きが制限されるべく構成されている。
【００３６】
このように構成された焼香箱１によれば、比較的簡単な構成に基づき、携帯性に優れ、香Ｚｂ等を比較的容易に収容することができると共に、その収容物等を用いて容易に焼香を実施することができる。
より具体的には、本実施形態にかかる焼香箱１は、焼香に必要な道具等が全て収納可能であるべく構成されているため、その収容物等を用いることによって、容易に焼香を実施することができる。
また、本実施形態によれば、箱本体部３０上に中箱部２０を載置した際には、銅箱部４０の開口部が銅板部２９にて密閉されるべく構成されているため、香炉として機能する銅箱部４０に香炉灰Ｚａが入れられていても、銅箱部４０からの香炉灰Ｚａの漏出を効果的に防止することができる。つまり、このような構成によれば、焼香箱１を動かしても、銅箱部４０から香炉灰Ｚａが漏出しづらいため、携帯性に優れた焼香箱１を得ることができる。
さらに、本実施形態によれば、箱本体部３０と蓋部１０との間に載置された中箱部２０は、箱本体部３０と蓋部１０とに挟まれて上下左右の動きが制限されるべく構成される。このような構成によれば、上下左右の動きが制限される中箱部２０によって、箱本体部３０に収納された物品は適切な位置に保持される。加えて、このような構成によれば、焼香箱１を動かしても中箱部２０、箱本体部３０、およびそれぞれの箱部２０，３０に収納された収納物の動きが制限されるため、携帯性に優れた焼香箱１を得ることができる。
【００３７】
また、本実施形態にかかる焼香箱１は、香炉として機能する銅箱部４０が載置される箱本体部３０と、箱本体部３０の上方位置に被せる蓋部１０と、箱本体部３０と蓋部１０との間に載置される中箱部２０とを備え、箱本体部３０には第一収納部Ａ１と第二収納部Ａ２とが設けられ、第一収納部Ａ１は銅箱部４０が載置されるべく構成され、第二収納部Ａ２は香を収納する香収納部として機能すべく構成されており、中箱部２０を成す中箱底板部２１の箱本体部３０側には銅板部２９が設けられ、箱本体部３０上に中箱部２０を載置した際には、銅箱部４０の開口部が銅板部２９にて密閉されるべく構成されており、箱本体部３０に載置された銅箱部４０の銅箱底板部４１と、箱本体部３０の箱底板部３１との間には、間隙部Ｔ１が設けられており、箱本体部３０と中箱部２０と蓋部１０とを積層して組み合わせた状態にて、銅箱部４０は箱本体部３０と中箱部２０とに挟まれて上下左右の動きが制限され、中箱部２０は箱本体部３０と蓋部１０とに挟まれて上下左右の動きが制限されるべく構成されている。
【００３８】
このように構成された焼香箱１によれば、比較的簡単な構成に基づき、携帯性に優れ、香Ｚｂ等を比較的容易に収容することができると共に、その収容物等を用いて容易に焼香を実施することができる。
より具体的には、本実施形態にかかる焼香箱１は、焼香に必要な道具等が全て収納可能であるべく構成されているため、その収容物等を用いることによって、容易に焼香を実施することができる。
また、本実施形態によれば、箱本体部３０上に中箱部２０を載置した際には、銅箱部４０の開口部が銅板部２９にて密閉され、銅箱部４０は、箱本体部３０と中箱部２０とに挟まれて上下左右の動きが制限される。つまり、このような構成によれば、焼香箱１を動かしても、銅箱部４０の動きは制限されると共に、銅箱部４０の開口部は銅板部２９にて密閉されているため、銅箱部４０から香炉灰Ｚａが漏出しづらい。したがって、このような構成によれば、携帯性に優れた焼香箱１を得ることができる。
さらに、本実施形態によれば、箱本体部３０と蓋部１０との間に載置された中箱部２０は、箱本体部３０と蓋部１０とに挟まれて上下左右の動きが制限されるべく構成される。このような構成によれば、上下左右の動きが制限される中箱部２０によって、箱本体部３０に収納された物品は適切な位置に保持される。加えて、このような構成によれば、焼香箱１を動かしても中箱部２０、箱本体部３０、およびそれぞれの箱部２０，３０に収納された収納物の動きが制限されるため、携帯性に優れた焼香箱１を得ることができる。
【００３９】
＜その他の実施例等＞
なお、本考案は、上記実施形態に限定されるものではなく、本考案の趣旨に適合し得る範囲で必要に応じて種々の変更を加えて実施することも可能であり、それらはいずれも本考案の技術的範囲に含まれる。
【００４０】
上記実施形態においては、蓋部１０、中箱部２０、および箱本体部３０が、桐を用いて構成される場合について説明したが、本考案はこの構成に限定されるものではなく、必要に応じて、檜、杉等の木材を用いてもよい。また、これらの各構成要素１０，２０，３０の形成材料は、木材に限定されるものではなく、例えば、銅、アルミニウム、ステンレス、あるいはこれらの合金等を用いてもよい。
【００４１】
さらに、上記実施形態においては、香炉として機能する金属箱部が銅を用いて構成される場合について説明したが、本考案はこの構成に限定されず、必要に応じて、アルミニウムあるいはステンレス等を用いてもよい。また、この金属箱部は、必要に応じて、銅、アルミニウム、ステンレス等を含む種々の合金等を用いてもよい。
【００４２】
また、上記実施形態にかかる焼香箱１は、必要に応じて、箱本体部３０に対して蓋部１０を着脱自在とするロック機構を設けてもよい。あるいは、上記実施形態にかかる焼香箱１は、ゴムや紐等を用いて、箱本体部３０から蓋部１０が容易に離脱しないような構成としてもよい。
【産業上の利用可能性】
【００４３】
従来技術にかかる香炉等に関する技術としては、雨天時や強風時の使用を考慮したものや、墓前に設置して固定されるもの等はあるが、携帯性等を考慮しつつ実用性の高いもの（焼香関連技術）は知られていないという問題があった。
【００４４】
これに対して、本考案にかかる焼香箱は、コンパクトであると共に、その内部に焼香に必要な道具等が全て収納されるべく構成されている。具体的には、この焼香箱には、香炉灰、香、香炭、ライタ、ピンセットが収納されており、これらの各物品が焼香箱内部にて混ざることなく、適切に収納されている。また、本考案にかかる焼香箱によれば、この焼香箱およびその収納物品さえあれば、どのような場所でも焼香を行うことができる。
したがって、本考案によれば、比較的簡単な構成に基づき、携帯性に優れ、香等を比較的容易に収容し、その収容物等を用いて容易に焼香を実施することが可能な、焼香箱を得ることができる。
【符号の説明】
【００４５】
１…焼香箱
１０…蓋部
１１…天板部
１２…蓋長手側板部
１３…蓋短手側板部
２０…中箱部
２１…中箱底板部
２２…中箱長手側板部
２３…中箱短手側板部
２４…中箱長手仕切板部
２９…銅板部（本考案の「金属板部」に相当）
３０…箱本体部
３１…箱底板部
３２…箱長手外板部
３３…箱短手外板部
３４…箱長手中間板部
３５…箱短手中間板部
３６…箱長手内板部
３７…箱短手内板部
３８…箱短手仕切板部
４０…銅箱部（本考案の「金属箱部」に相当）
４１…銅箱底板部（本考案の「金属箱底板部」に相当）
４２…銅箱長手側板部
４３…銅箱短手側板部
４９…銅箱鍔部
Ａ１…第一収納部
Ａ２…第二収納部（香収納部）
Ａ３…第三収納部
Ａ４…第四収納部
Ｔ１…間隙部
Ｘａ…ライタ
Ｘｂ…香炭
Ｘｃ…ピンセット
Ｚａ…香炉灰
Ｚｂ…香
【図１】
0003200504.tif 000003
【図２】
0003200504.tif 000004
【図３】
0003200504.tif 000005
【図４】
0003200504.tif 000006
【図５】
0003200504.tif 000007
【図６】
0003200504.tif 000008
【図７】
0003200504.tif 000009